(57)【要約】【課題】汎用性や経済性、耐用性、強着性、耐水性、防食性、作業性に優れ、排水性と防滑性がさらに高く、かつ長く耐用性を維持することができる主に屋外で用いる階段構造を提供すること。【解決手段】端部に通じる複数本の凹溝２０を表面に有し、かつ裏面側に円弧２１を持たせて約９０度曲折した合成樹脂製の段鼻材２を階段下地４の出隅５に貼付するとともに、弾性樹脂モルタル層３を、段鼻材２に隣接して段鼻材２の厚みＬと略同じ厚みＨで階段下地４の踏み面６に設ける。【選択図】  図１
2005029996.tif 000002
【特許請求の範囲】
【請求項１】
端部に通じる複数本の凹溝を表面に有し、かつ裏面側に円弧を持たせて曲折した合成樹脂製の段鼻材を階段下地の出隅に貼付するとともに、弾性樹脂モルタル層を、前記段鼻材に隣接して段鼻材の厚みと略同じ厚みで階段下地の踏み面に設けたことを特徴とする階段構造。
【請求項２】
段鼻材より薄く表面に多数の突起を有する延出部を、段鼻材の弾性樹脂モルタル層側の端部から踏み面に沿い延設するとともに、該延出部上に弾性樹脂モルタル層を重合するようにしたことを特徴とする請求項１記載の階段構造。
【請求項３】
弾性樹脂モルタル層の上面を、階段下地の入隅及び／又は階段下地の少なくとも一方の側端部に向かい低くなる傾斜面に設けたことを特徴とする請求項１又は２記載の階段構造。
【請求項４】
弾性樹脂モルタル層の表面に、所定の模様を設けたことを特徴とする請求項１、２又は３記載の階段構造。
【請求項５】
階段下地の少なくとも一方の側端部に側溝を形成したことを特徴とする請求項１、２、３又は４記載の階段構造。
【請求項６】
階段下地の入隅に、側溝に通じる横断溝を形成したことを特徴とする請求項５記載の階段構造。
【請求項７】
側溝及び／又は横断溝に、合成樹脂、樹脂モルタル又は合成樹脂を主成分とする塗膜からなる溝材を設けたことを特徴とする請求項５又は６記載の階段構造。
【請求項８】
側溝、横断溝又は溝材の底面に親水性を付与したことを特徴とする請求項５、６又は７記載の階段構造。
【請求項９】
階段下地の蹴込みに、合成樹脂及び／又は樹脂モルタルからなる蹴込み材を配設したことを特徴とする請求項１、２、３、４、５、６、７又は８記載の階段構造。
【請求項１０】
段鼻材と階段下地との間に、高耐水性の接着剤を充填したことを特徴とする請求項１、２、３、４、５、６、７、８又は９記載の階段構造。
【請求項１１】
段鼻材の凹溝に蓄光性を付与したことを特徴とする請求項１、２、３、４、５、６、７、８、９又は１０記載の階段構造。
【請求項１２】
段鼻材を踊場の出隅に貼付するとともに、弾性樹脂モルタル層を、前記段鼻材に隣接して段鼻材の厚みと略同じ厚みで踊場の下地に設けたことを特徴とする請求項１、２、３、４、５、６、７、８、９、１０又は１１記載の階段構造。
【請求項１３】
建屋の外部に張り出した踊場の張出部端面に、踊場の下地から曲折するように弾性樹脂モルタル層を設けたことを特徴とする請求項１２記載の階段構造。
【発明の詳細な説明】
【０００１】
【発明の属する技術分野】
本発明は、階段構造に関し、特に、マンションやビル等の屋内外に設置して好適な階段構造に関するものである。
【０００２】
【従来の技術】
マンションやビル等の屋内外に設置する階段の構造は、新設やリニューアルを問わず、従来から数多くの形態が知られている。
【０００３】
例えば、屋内外を問わず設置することができる階段の構造として、凹凸で防滑性を付与し段鼻で略９０度曲折させた合成樹脂製の床材を、階段下地の略全面に高耐水性の接着剤を介して貼り付けた階段構造が知られている（特許文献１〜３参照）。
【０００４】
また、主に屋外に設置する階段の構造として、古くから階段下地の段鼻のみに貼付する滑り止め材やその滑り止め材の製造方法が知られている（特許文献４〜５参照）。
【０００５】
さらに、滑り止め、タイル、防水用膜材等を適宜用い、接着剤やビスで階段下地に固着する補修方法等も知られている（特許文献６〜７参照）。
【０００６】
【特許文献１】
特開平９−１２５６４３号公報
【特許文献２】
特開平９−１８４２６６号公報
【特許文献３】
特開平９−２６４０６０号公報
【特許文献４】
特公昭４０−３７３８号公報
【特許文献５】
特開昭５９−１６１５５３号公報
【特許文献６】
実開昭３７−８８５９号公報
【特許文献７】
特開平５−２３０９６３号公報
【０００７】
【発明が解決しようとする課題】
しかしながら、前記特許文献１〜７等に開示されている発明は、汎用性、経済性、耐用性、強着性、耐水性、排水性、防食性、作業性等において、それぞれ個々に問題を残すものである。
【０００８】
本発明は、上記従来の階段構造が有する問題点に鑑み、汎用性や経済性、耐用性、強着性、耐水性、防食性、作業性に優れ、排水性と防滑性がさらに高く、かつ長く耐用性を維持することができる主に屋外で用いる階段構造を提供することを目的とする。
【０００９】
【課題を解決するための手段】
上記目的を達成するため、本発明の階段構造は、端部に通じる複数本の凹溝を表面に有し、かつ裏面側に円弧を持たせて曲折した合成樹脂製の段鼻材を階段下地の出隅に貼付するとともに、弾性樹脂モルタル層を、前記段鼻材に隣接して段鼻材の厚みと略同じ厚みで階段下地の踏み面に設けたことを特徴とする。
ここで、略同じの厚みとは、１〜２ｍｍ程度までの差を包含し、これを排除しないするものとする。
【００１０】
この階段構造は、端部に通じる複数本の凹溝を表面に有し、かつ裏面側に円弧を持たせて曲折した合成樹脂製の段鼻材を階段下地の出隅に貼付するとともに、弾性樹脂モルタル層を、前記段鼻材に隣接して段鼻材の厚みと略同じ厚みで階段下地の踏み面に設けることから、段鼻材の凹溝の凹凸が防滑性を高めるとともに、段鼻材と弾性樹脂モルタル層が階段下地の腐食を防止することができる。
【００１１】
また、段鼻材より薄く表面に多数の突起を有する延出部を、段鼻材の弾性樹脂モルタル層側の端部から踏み面に沿い延設するとともに、該延出部上に弾性樹脂モルタル層を重合することができる。
【００１２】
これにより、延出部と弾性樹脂モルタル層とを固着し、昇降時の踏み圧による段鼻材の剥がれ等のトラブルを大きく削減することができる。
【００１３】
また、弾性樹脂モルタル層の上面を、階段下地の入隅及び／又は階段下地の少なくとも一方の側端部に向かい低くなる傾斜面に設けることができる。
【００１４】
これにより、弾性樹脂モルタル層の表面に溜まる水を速やかに階段下地の入隅や側端部に排出することができ、踏み面表面の防滑性を著しく向上させることができる。
【００１５】
また、弾性樹脂モルタル層の表面に、所定の模様を設けることができる。
【００１６】
これにより、弾性樹脂モルタル層表面の防滑性をさらに向上させることができる。
【００１７】
また、階段下地の少なくとも一方の側端部に側溝を形成することができる。
【００１８】
これにより、踏み面表面に溜まる水をより速やかに側溝に流れ込ませることができ、防滑性をさらに高めることができる。
【００１９】
また、階段下地の入隅に、側溝に通じる横断溝を形成することができる。
【００２０】
これにより、横断溝から側溝への水路が形成され、全体的に排水機能を向上させることができる。
【００２１】
また、側溝及び／又は横断溝に、合成樹脂、樹脂モルタル又は合成樹脂を主成分とする塗膜からなる溝材を設けることができる。
【００２２】
これにより、側溝や横断溝の腐食を防止することができる。
【００２３】
また、側溝、横断溝又は溝材の底面に親水性を付与することができる。
【００２４】
これにより、排水速度を高めて、昇降時の防滑性をより以上に向上させることができる。
【００２５】
また、階段下地の蹴込みに、合成樹脂及び／又は樹脂モルタルからなる蹴込み材を配設することができる。
【００２６】
これにより、階段下地の蹴込みの腐食を防止するとともに、意匠性を高めることができる。
【００２７】
また、段鼻材と階段下地との間に、高耐水性の接着剤を充填することができる。
【００２８】
これにより、段鼻材と階段下地の出隅とがより強固に一体化し、昇降時の踏み圧による段鼻材の裏面円弧部が摩減するトラブルが大きく解消される。
【００２９】
また、段鼻材の凹溝に蓄光性を付与することができる。
【００３０】
これにより、暗闇での踏み外し等の危険性を減少させることができる。
【００３１】
また、段鼻材を踊場の出隅に貼付するとともに、弾性樹脂モルタル層を、前記段鼻材に隣接して段鼻材の厚みと略同じ厚みで踊場の下地に設けることができる。
【００３２】
この階段構造は、端部に通じる複数本の凹溝を表面に有し、かつ裏面側に円弧を持たせて曲折した合成樹脂製の段鼻材を階段下地の出隅に加えて踊場の出隅に貼付するとともに、弾性樹脂モルタル層を、前記段鼻材に隣接して段鼻材の厚みと略同じ厚みで階段下地の踏み面に加えて踊場の下地に設けることから、段鼻材の凹溝の凹凸が防滑性を高めるとともに、段鼻材と弾性樹脂モルタル層が階段下地と踊場の下地の腐食を防止することができる。
【００３３】
また、建屋の外部に張り出した踊場の張出部端面に、踊場の下地から曲折するように弾性樹脂モルタル層を設けることができる。
【００３４】
これにより、踊場の下地から曲折するように設けた弾性樹脂モルタル層が、踊場の張出部端面の腐食を防止し、建屋との調和等の意匠面でも優れている。
【００３５】
【発明の実施の形態】
以下、本発明の実施の形態を図面に基づいて説明する。
【００３６】
図１〜図３に、本発明の階段構造の一実施例を示す。
この階段構造１は、端部に通じる複数本の凹溝２０を表面に有し、かつ裏面側に円弧２１を持たせて約９０度曲折した合成樹脂製の段鼻材２を階段下地４の出隅５にするとともに、弾性樹脂モルタル層３を、前記段鼻材２に隣接して段鼻材２の厚みＬと略同じの厚みＨで階段下地４の踏み面６に設けている。
ここで、略同じの厚みとは、１〜２ｍｍ程度までの差を包含し、これを排除しないするものとする。
【００３７】
凹溝２０は、図２〜図３に示すように、段鼻材２の端部において階段下地４の側端部４０に通じているが、凹溝２０は、他にも階段下地４の蹴込み８側や踏み面６側や蹴込み８に通じても形成することができる。また、図２（ｂ）で示す階段の最上部は踊場の下地１４であり、その踊場の出隅１５にも段鼻材２を高耐水性の接着剤（又はプライマー）９で貼付、踊場の下地１４にも弾性樹脂モルタル層３を設けている。
図３は、このような段鼻材２の他の実施例を示すものであり、円弧２１に沿って階段下地４の蹴込み８に通じる複数本の凹溝２０を段鼻材２表面に設けたものである。また、図示しないが、凹溝２０は段鼻材２の表面で凹溝２０同士を交差させて設けてもよいことになる。
【００３８】
また、凹溝２０の端部は、階段下地４の側端部４０に、凹溝２０の底面からの段鼻材の厚みＬ１相当の段差を持たせて連通させることも可能となる。
そして、図２において、弾性樹脂モルタル層３は、階段下地４の踏み面６側で段鼻材２の端部に沿って側壁１０に到るまで設けられているが、少なくとも、段鼻材２と側壁１０との間は、弾性樹脂モルタル層３の厚みＨ１が、凹溝２０の底面からの段鼻材の厚みＬ１未満であるように設けることが排水性を考慮すれば最適となる。
【００３９】
段鼻材２を構成する合成樹脂には、塩化ビニルや酢酸ビニル等のビニル系樹脂、ポリエチレンやポリプロピレン等のオレフィン系樹脂、エラストマー、これ等の共重合体、アイオノマー、ナイロン、アクリル、エポキシ、ポリエステル等の各種の樹脂を使用できるが、成形容易性と経済性の面から熱可塑性樹脂が好適に使用できる。
【００４０】
また、弾性樹脂モルタル層３には、例えば、株式会社マノール製の商品名マノールベンディを好適に使用することができるが、これに限定されるものではなく、特開昭８−２０８３０２号公報（樹脂モルタル組成物）や特開平１１−９２１９５号公報（樹脂モルタル）等の公知の樹脂モルタルを使用することができる。
また、このような弾性樹脂モルタル層３は何層に設けてもよく、最上層に強度と耐候性が高く極めて耐用性に優れた樹脂モルタルや塗料を設けるようにすることもできる。
【００４１】
上記のように階段構造を構成することにより、階段下地４の出隅５から踏み面６に到る部位の防滑性は凹溝２０による凹凸で向上し、排水性は、凹溝２０が階段下地４の側端部４０に段差を有して通じていることで著しく改善される。
また、段鼻材２の厚みＬ未満の厚みＨで弾性樹脂モルタル層３を設けることや、凹溝２０底面の厚みＬ１未満の厚みＨ１で弾性樹脂モルタル層３を設けることにより、段鼻材２の表面に水溜りが生じる事態が減少するとともに、段鼻材２と弾性樹脂モルタル層３とが階段下地４の腐食を防止することができ、昇降時の安全性は長期に亘り確保されることになる。
【００４２】
また、図１に示すように、本実施例では、段鼻材２より薄く表面に多数の突起２３を有する延出部２２を、段鼻材２の弾性樹脂モルタル層３側の端部から踏み面６に沿い延設するとともに、該延出部２２上に弾性樹脂モルタル層３を重合するようにしている。
この延出部２２は、段鼻材２の成形と同時に一体成形することが可能であり、突起２３を具備することで、延出部２２はより強く弾性樹脂モルタル層３と一体化し、昇降時の踏み圧による段鼻材２の剥がれ等の危惧が著しく減少することになる。
また、長期間の使用等によって、万一、段鼻材２と弾性樹脂モルタル層３とが剥離した場合でも、延出部２２によって水の浸入を阻止し、接着剤９の接着性が低下し、剥離が伸展することを防止することができる。
【００４３】
さらに、図１に示すように、段鼻材２の前垂れ部に突出部２４が具備されているが、このような形態は階段下地４の蹴込み８にそのあら隠し材や後述の蹴込み材８０の取り付け、嵌め込みなどの作業を楽にすることになる。
この場合、突出部２４の形態は特に問われるものではないが、段鼻材２の厚みＬより薄く具備させることが不可欠となる。
【００４４】
図４は、本実施例の階段構造において、弾性樹脂モルタル層３の表面に、凸模様３０を設けた実施形態を示すもので、このように構成することで、凸模様３０の凸部間が水路となり、その凹凸とも相俟って弾性樹脂モルタル層３の表面の防滑性はさらに向上することになる。なお、図示しないが、凸模様３０は、微細模様であってもよく、また、凸模様３０に代えて凹模様とする等、その形状等も含め階段構造の設計に委ねられる。
【００４５】
ところで、弾性樹脂モルタル層３は、セルフレベリング性の弾性樹脂モルタル材料を使用することによって、通常はフラットに仕上げるようにするが、型枠等を用いることによって、図５に概略的に示す階段構造の他の実施例のように、それぞれ弾性樹脂モルタル層３を階段下地４の入隅７に、弾性樹脂モルタル層を階段下地４の側端部４０に向かい低くなるような緩やかな傾斜を持たせて設けるようにすることもでき、このようにすることで表面に溜まる水の排水性を向上させることができる。
【００４６】
さらに、図５においては、階段下地４の側端部４０に側溝４１が形成されるとともに、入隅７に横断溝７１が形成されているが、この場合、横断溝７１は側溝４に通じていることが不可欠となり、横断溝７１が側溝４より低位にならないようにする。
【００４７】
このような構成により、階段下地４の出隅５から踏み面６、即ち弾性樹脂モルタル層３の表面に到る部位に溜まる水は、階段下地４の入隅７及び／又は側端部４０に設けられた横断溝７１や側溝４１、また、横断溝７１から側溝４１に速やかに排水され、昇降時の安全性はより一層確保されることになる。
【００４８】
また、本実施例の階段構造においては、上述の階段下地４の側溝４１や横断溝７１に合成樹脂、弾性樹脂モルタル層、合成樹脂を主成分とする塗膜等からなる溝材４２、溝材７２を臨機応変に設けてもよい。
図６（ａ）〜（ｃ）は横断溝７１に溝材７２を設けたもの、図７（ａ）（ｂ）は側溝４１に溝材４２を設けたものであり、図７（ｃ）はこれ等溝材４２、７２を高耐水性の接着剤等を介して側溝４１や横断溝７１に設けた一例となる。
これ等の図で示すように、溝材４２、溝材７２の断面形状は多様な形態が考えられ、その目的を逸脱しない範囲で任意の断面形状のものを用いることができる。
同様にこれ等の図で示すように、溝材４２や溝材７２は、それぞれの隣接部で段鼻材２の凹溝２０端部の厚みＬ１と同位又はより低位、弾性樹脂モルタル層３の厚みＨより低位に、また、両溝材を同時に設ける場合は、溝材７２を溝材４２と同位又はより低位に設けることが最適となる。
【００４９】
このような構成により、踏み面１１に溜まる水の一部は、まず溝材４２に次いで溝材７２排水され、また、一部は溝材７２に直接流れ込み、合流して出隅５の側部で下方に落下することで、その排水効率は著しく高まり、同時に、溝材４２や溝材７２は階段下地４の腐食を防止することにもなり、昇降時の安全性はさらに長期に亘って確保されることになる。
【００５０】
また、本発明の階段構造は、階段下地４の蹴込み８に、合成樹脂や樹脂モルタルからなる蹴込み材８０を設けてもよく、このような場合は、階段下地４に段鼻材２をより強固に貼り付ける手段の巾が広がり、階段下地４の蹴込み８に腐食性、意匠性等を付与することになる。
図８に示すように、蹴込み材８０は、合成樹脂製のシートからなる蹴込み材８０を前述の段鼻材２の突出部２４と階段下地４の蹴込み８との間に嵌め込むよう設けられており、これにより、その繋ぎ作業を非常に楽にすることができる。
【００５１】
また、図８の断面図で示した如く、本実施例の階段構造は、段鼻材２が高耐水性の接着剤９で階段下地４に貼り付けてもよく、このように形成することにより、段鼻材２の裏面と階段下地４の出隅５の隙間は塞がれ、昇降時の踏み圧による段鼻材２の摩滅は長期に亘って著しく減少する。
具体的には、昇降時に段鼻材２の円弧２１と階段下地４の出隅５が隣接する隙間で生じる段鼻材円弧２１部位の摩滅が大幅に解消され、段鼻材２が破壊される等の問題の発生が大きく減少することになる。
【００５２】
上記のような接着剤９には、アクリル樹脂系、ポリウレタン系、エポキシ樹脂系、シリコーン系のものが適宜その粘度を調整して好適に使用でき、なかでも一液性ポリウレタン系接着剤９は、空気中の水分で硬化することから最適に使用できることになる。
【００５３】
また、図示しないが、本発明の階段構造は、少なくとも段鼻材２の凹溝２０に蓄光剤を設けてもよく、このように構成することにより、暗闇においても階段の目視が可能になり、昇降時の安全性はより改善されることになる。
【００５４】
このような蓄光性を付与する手段としては、市販の根本特殊化学株式会社製、商品名「Ｎ−夜光」や株式会社製、商品名「ピカリコ」等の蓄光剤を段鼻材２の凹部２０に直接練り込む、塗料化して塗布する等あるが、これ等蓄光剤を合成樹脂製の薄いテープに分散させ、これを段鼻材２の凹溝２０に貼着することが、最も合理的な手段となる。
【００５５】
また、図示しないが、本発明の階段構造は、少なくとも段鼻材２の凹溝２０や側溝４１や横断溝７１や溝剤４２、７２の内面に親水性を付与すれば、階段全体の排水はよりスピーディーになる。
【００５６】
このような親水性を付与する手段として、界面活性剤（親水性物質）を溝材４２、７２の合成樹脂や樹脂モルタルに直接練り込む方法、界面活性剤を塗料に分散し、これをそれぞれの内面に塗布する方法等を採用することができる。
また、他の手段としては、溝材４２、７２を形成する塗料に界面活性剤を分散する、溝材４２、７２を親水性樹脂で形成する、親水性樹脂で薄いシートを形成しこれをそれぞれの内面に貼着する等があり、適宜最良の手段を選択すればよいことになる。
【００５７】
界面活性剤としては、具体的に多価アルコールと高級脂肪酸類とから誘導された多価アルコール部分エステルが好適に使用でき、また、親水性樹脂としては、エチレンビニルアルコールやポリビニルアルコール等の水酸基を有する合成樹脂が好適に使用できることになる。
【００５８】
また、図２（ｂ）正面図で示した如く、本実施例の階段構造は、段鼻材２を踊場の出隅１５に貼付するとともに、弾性樹脂モルタル層３を、前記段鼻材２に隣接して段鼻材２の厚みと略同じ厚みで踊場の下地１４に設けることができる。
【００５９】
これにより、この階段構造は、端部に通じる複数本の凹溝２０を表面に有し、かつ裏面側に円弧２１を持たせて曲折した合成樹脂製の段鼻材２を階段下地４の出隅５に加えて踊場の出隅１５に貼付するとともに、弾性樹脂モルタル層３を、前記段鼻材２に隣接して段鼻材２の厚みと略同じ厚みで階段下地４の踏み面６に加えて踊場の下地１４に設けることから、段鼻材２の凹溝２０の凹凸が防滑性を高めるとともに、段鼻材２と弾性樹脂モルタル層３が階段下地４と踊場の下地１４の腐食を防止することができる。
【００６０】
また、図９は、踊場が建屋の外部に張り出している場合の階段構造の一実施例を示す。
本実施例においては、建屋の外部に張り出した踊場の張出部端面１８に、踊場の下地１４から曲折するように弾性樹脂モルタル層３を設けるようにしている。なお、このような踊場の端部には、安全のため、防護柵（図示省略）を設けるようにしている。また、この場合、弾性樹脂モルタル層３による踊場の張出部端面１８の腐食作用を一層発揮させるために、適宜の接着剤、プライマー、塗料等からなる下地層を設けるようにしたり、建屋との調和等を考慮して適宜の上塗り層を設けることもできる。
このように、建屋の外部に張り出した踊場の張出部端面１８に弾性樹脂モルタル層３を設けることにより、弾性樹脂モルタル層３が、踊場の張出部端面１８の腐食を防止し、長期に亘って、安全性と美観を維持することができる。
【００６１】
そして、一般的に屋内外階段においては階段下地にコンクリートや鋼材が使用されている場合が多く、雨水によるコンクリートや鋼材の防食性や防滑性が心配されるが、本発明の階段構造は、上述したように、雨水による階段下地３の汚れや腐食を長期に亘って防止し、防滑性や排水性においても優れ、昇降時の安全性は大幅に解消されることから、屋外に設置されることが好適であり、このような場合は、最もその作用効果を発揮することになる。
【００６２】
以上、本発明の実施例を説明したが、本発明の階段構造は、この実施例の記載に限定されるものではなく、その趣旨を逸脱しない範囲において適宜に変更することが可能である。
【００６３】
【発明の効果】
本発明の階段構造によれば、端部に通じる複数本の凹溝を表面に有し、かつ裏面側に円弧を持たせて曲折した合成樹脂製の段鼻材を階段下地の出隅に貼付するとともに、弾性樹脂モルタル層を、前記段鼻材に隣接して段鼻材の厚みと略同じ厚みで階段下地の踏み面に設けることから、段鼻材の凹溝の凹凸が防滑性を高めるとともに、段鼻材と弾性樹脂モルタル層が階段下地の腐食を防止することができ、特に、雨ざらしの屋外において、防食性能と排水性能をより発揮することになる。
【００６４】
また、段鼻材より薄く表面に多数の突起を有する延出部を、段鼻材の弾性樹脂モルタル層側の端部から踏み面に沿い延設するとともに、該延出部上に弾性樹脂モルタル層を重合することにより、延出部と弾性樹脂モルタル層とを固着し、昇降時の踏み圧による段鼻材の剥がれ等のトラブルを大きく削減することができる。
【００６５】
また、弾性樹脂モルタル層の上面を、階段下地の入隅及び／又は階段下地の少なくとも一方の側端部に向かい低くなる傾斜面に設けることにより、弾性樹脂モルタル層の表面に溜まる水を速やかに階段下地の入隅や側端部に排出することができ、踏み面表面の防滑性を著しく向上させることができる。
【００６６】
また、弾性樹脂モルタル層の表面に、所定の模様を設けることにより、弾性樹脂モルタル層表面の防滑性をさらに向上させることができる。
【００６７】
また、階段下地の少なくとも一方の側端部に側溝を形成することにより、踏み面表面に溜まる水をより速やかに側溝に流れ込ませることができ、防滑性をさらに高めることができる。
【００６８】
また、階段下地の入隅に、側溝に通じる横断溝を形成することにより、横断溝から側溝への水路が形成され、全体的に排水機能を向上させることができる。
【００６９】
また、側溝及び／又は横断溝に、合成樹脂、樹脂モルタル又は合成樹脂を主成分とする塗膜からなる溝材を設けることにより、側溝や横断溝の腐食を防止することができる。
【００７０】
また、側溝、横断溝又は溝材の底面に親水性を付与することにより、排水速度を高めて、昇降時の防滑性をより以上に向上させることができる。
【００７１】
また、階段下地の蹴込みに、合成樹脂及び／又は樹脂モルタルからなる蹴込み材を配設することにより、階段下地の蹴込みの腐食を防止するとともに、意匠性を高めることができる。
【００７２】
また、段鼻材と階段下地との間に、高耐水性の接着剤を充填することにより、段鼻材と階段下地の出隅とがより強固に一体化し、昇降時の踏み圧による段鼻材の裏面円弧部が摩減するトラブルが大きく解消される。
【００７３】
また、段鼻材の凹溝に蓄光性を付与することにより、暗闇での踏み外し等の危険性を減少させることができる。
【００７４】
また、段鼻材を踊場の出隅に貼付するとともに、弾性樹脂モルタル層を、前記段鼻材に隣接して段鼻材の厚みと略同じ厚みで踊場の下地に設けることにより、端部に通じる複数本の凹溝を表面に有し、かつ裏面側に円弧を持たせて曲折した合成樹脂製の段鼻材を階段下地の出隅に加えて踊場の出隅に貼付するとともに、弾性樹脂モルタル層を、前記段鼻材に隣接して段鼻材の厚みと略同じ厚みで階段下地の踏み面に加えて踊場の下地に設けることから、段鼻材の凹溝の凹凸が防滑性を高めるとともに、段鼻材と弾性樹脂モルタル層が階段下地と踊場の下地の腐食を防止することができる。
【００７５】
また、建屋の外部に張り出した踊場の張出部端面に、踊場の下地から曲折するように弾性樹脂モルタル層を設けることにより、踊場の下地から曲折するように設けた弾性樹脂モルタル層が、踊場の張出部端面の腐食を防止し、建屋との調和等の意匠面でも優れている。
【図面の簡単な説明】
【図１】本発明の階段構造の一実施例を示す断面図である。
【図２】同実施例の階段構造を示し、（ａ）は平面図、（ｂ）は正面図である。
【図３】同実施例の階段構造を示す一部切り欠き斜視図である。
【図４】同要部欠き斜視図である。
【図５】弾性樹脂モルタル層の傾斜を示し、（ａ）は断面側面図、（ｂ）は断面正面図である。
【図６】横断溝に配設した溝材を示す断面図である。
【図７】側溝に配設した溝材を示す断面図である。
【図８】階段構造に蹴込み材を配設した例を示す断面側面図である。
【図９】踊場が建屋の外部に張り出している場合の階段構造の一実施例を示す断面図である。
【符号の説明】
１    階段構造
１０  側壁
１４  踊場の下地
１５  踊場の出隅
１８  踊場の張出部端面
２    段鼻材
２０  凹溝
２１  円弧
２２  延出部
２３  突起
２４  突出部
３    弾性樹脂モルタル層
３０  凸模様
４    階段下地
４０  階段下地の側端部
４１  側溝
４２  溝材
５    出隅
６    踏み面
７    入隅
７１  横断溝
７２  溝材
８    蹴込み
８０  蹴込み材
９    高耐水性の接着剤又はプライマー
Ｈ    弾性樹脂モルタル層の厚み
Ｈ１  弾性樹脂モルタル層の厚み
Ｌ    段鼻材の厚み
Ｌ１  凹溝底面からの段鼻材の厚み
【図１】
2005029996.tif 000003
【図２】
2005029996.tif 000004
【図３】
2005029996.tif 000005
【図４】
2005029996.tif 000006
【図５】
2005029996.tif 000007
【図６】
2005029996.tif 000008
【図７】
2005029996.tif 000009
【図８】
2005029996.tif 000010
【図９】
2005029996.tif 000011